(57)【要約】【課題】ペットボトルの再利用を課題とする。【解決手段】交換キャップ付ペットボトル１は、ペットボトル１０と、交換キャップ入り包装袋２０とからなる。交換キャップ入り包装袋２０は、複数の収納部を有し、当該収納部に交換キャップを収納する。交換キャップやペットボトル１０に最初から付いているキャップは、飲用時にキャップを緩めて開ける所定の操作によりキャップに内蔵する茶粉末がペットボトル１０内の飲料水の水面へ落下し混合される構造から成る。交換キャップ付ペットボトル１の購入者は、１杯目のお茶を飲んだ後、２杯目以降のお茶についてもペットボトル１０を利用して飲むことができる。つまり、ペットボトル１０が何度も（少なくとも３回）再利用されることとなる。【選択図】図１
2011157121.tif 000002
【特許請求の範囲】
【請求項１】
ペットボトル等の飲料容器のキャップとして用いられ、飲用時にキャップを緩めて開ける所定の操作によりキャップに内蔵する飲料の素が前記飲料容器内の水面へ落下し混合される構造から成る交換キャップが収納された収納部と、当該収納部の延長で前記飲料容器の首に通すための穴部を有する延長部とからなる交換キャップ入り包装袋を備えたペットボトルであって、
前記収納部は複数であり且つ個々の収納部は透明で且つ破断案内部を備えた袋状のものであり、
また、前記延長部は、前記複数の収納部それぞれの延長で一体であり、共有の前記穴部を有するとともに、当該共有の穴部が前記交換キャップの重量程度の外力によっては変形しない剛性を有することを特徴とする交換キャップ入り包装袋を備えたペットボトル。
【請求項２】
前記交換キャップ内部に詰め込まれた飲料の素は、前記複数の収納部毎に同一或るいは産地毎、充填量、種類等が異なることを特徴とする請求項１に記載の交換キャップ入り包装袋を備えたペットボトル。
【発明の詳細な説明】
【技術分野】
【０００１】
本発明は交換キャップ入り包装袋をネックに備えたペットボトルに関するものである。
【背景技術】
【０００２】
飲用時にキャップを緩めて開ける所定の操作によりキャップに内蔵する飲料の素（例えば粉抹茶）が前記飲料容器内の飲料水の水面へ落下し混合される構造から成るペットボトルを本件出願人は先に提案している（例えば特許文献１参照）。
【０００３】
このような飲料の素を内蔵するキャップを具備したペットボトルは、飲料後にほとんどが廃棄されリサイクルされる。
【０００４】
つまり、従前ペットボトルは、飲用後は廃棄されるだけで、再使用することが全く考えられていない（ここでの再使用はペットボトルを洗浄し再使用することを意味する）。
【先行技術文献】
【特許文献】
【０００５】
【特許文献１】特開２００６−１０３７８１号公報
【発明の概要】
【発明が解決しようとする課題】
【０００６】
しかしながら、上述した従来のペットボトルは、特に衛生上の観点からはペットボトルを洗浄し、自分自身に限定して使用する場合は、何度も使用することが可能であるにもかかわらず、上記の如く廃棄してしまっていたためコスト面でも或るいは環境面でも不都合であった。
【０００７】
本願発明は、上記の一度使用したものはそのまま廃棄する点に鑑みて提案するもので、
第１の発明は、ペットボトル等の飲料容器のキャップとして用いられ、飲用時にキャップを緩めて開ける所定の操作によりキャップに内蔵する飲料の素が前記飲料容器内の水面へ落下し混合される構造から成る交換キャップを収納した収納部と、当該収納部の延長で前記飲料容器の首に通すための穴部を有する延長部とからなる交換キャップ入り包装袋であって、
前記収納部は複数であり且つ個々の収納部は透明で且つ破断案内部を備えた袋状のものであり、
また、前記延長部は、前記複数の収納部それぞれの延長で一体であり、共有の前記穴部を有するとともに、当該共有の穴部が前記交換キャップの重量程度の外力によっては変形しない剛性を有することを特徴とする交換キャップ入り包装袋を備えたペットボトルを提案するものである。
【０００８】
更に第２の発明は、前記交換キャップ内部に詰め込まれた飲料の素は、前記複数の収納部毎に同一或るいは産地毎、充填量、種類等が異なることを特徴とする請求項１に記載の交換キャップ入り包装袋を備えたペットボトルを提案するものである。
【発明の効果】
【０００９】
本発明のペットボトルによれば、飲み終わったペットボトルを一旦洗浄し、複数の包袋から交換用キャップの１つを取り出しこれをペットボトルのビン口に取り付けば、同じ或るいは異なった味わいのものを何度も、而も安価に飲用することができるほか、ペットボトルを一回きりで廃棄しないため環境的にも好都合である。
【００１０】
また、袋状の収納部は透明であるためキャップの確認がし易く而も、破断案内部があるためキャップの取り出しもし易い。
【００１１】
さらに、キャップ入り包装袋は、その延長部が一体であるので、延長部を持てば複数の収納部をまとめて手に取ることができるし、延長部がある程度の剛性を有することにより、延長部を持っても飲料容器の首に通す穴部の形がつぶれることなく、簡単に飲料容器のネックに通すことができるため、丈夫で作業性にも優れている。
【００１２】
なお、交換キャップは互換性を考慮して一般のペットボトルにもネジ着取り付けができるようにして汎用性を高めている。
【図面の簡単な説明】
【００１３】
【図１】図１は、実施例１に係る交換キャップ付ペットボトルの概要を説明するための図である。
【図２】図２は、実施例１に係る交換キャップ付ペットボトルの概要を説明するための図であり、（ａ）は飲用後にキャップを取り外した状態を示し、また（ｂ）は交換キャップの取付前の状態を示すものである。
【図３】図３は、実施例１に係る交換キャップ入り包装袋を示す図である。
【図４】図４は、実施例１に係る交換キャップ入り包装袋の包装袋自体を示す図である。
【図５】図５は、交換キャップの断面図であり、茶粉末の落下前の状態を示す。
【図６】図６は、交換キャップの断面図であり、茶粉末が落下する状態を示す。
【図７】図７は、交換キャップの取り付け方を説明する図である。
【図８】図８は、実施例２に係る交換キャップ入り包装袋を示す図である。
【発明を実施するための形態】
【実施例１】
【００１４】
以下に添付図面を参照して、本発明に係る交換キャップ入り包装袋を備えたペットボトルの実施形態について説明する。
【００１５】
まず、図１および図２を用いて実施例１に係る交換キャップ付ペットボトルの概要を説明する。図１および図２は、実施例１に係る交換キャップ付ペットボトルの概要を説明するための図である。
【００１６】
図１に示すように、交換キャップ付ペットボトル１は、ペットボトル１０と、交換キャップ入り包装袋２０とからなる。ペットボトル１０は、キャップでその口部が密封されており、当該キャップは、飲用時にキャップを緩めて開ける所定の操作によりキャップに内蔵する茶粉末４５がペットボトル１０内の飲料水の水面へ落下し混合される構造から成る。交換キャップ入り包装袋２０は、前述のキャップと同一の交換キャップを３つ備え、ペットボトル１０のボトルネック１３に吊り下がっている。なお、初めからペットボトル１０に取り付けられたキャップおよび３つの各交換キャップは、同一の粉抹茶であったり、静岡、宇治、伊勢等産地の異なるお茶の茶粉末をそれぞれ内蔵している。
【００１７】
このようなペットボトル１０の購入者は、まず、所定の操作によりキャップに内蔵する茶粉末４５をペットボトル１０内の飲料水１１へ落下させ、茶粉末と飲料水を混ぜることにより、お茶を作ることができる。
【００１８】
お茶を飲んだ後、図２に示すように、購入者は、ペットボトル１０を洗浄し、ペットボトル１０内に飲料水１１を入れる。なお、使用済みキャップについては、洗浄時にペットボトル１０内部をゆすぐためにビン口１０ａを密封するのに用いてもよいが、基本的には処分してもかまわない。
【００１９】
そして、購入者は、交換キャップ入り包装袋２０から交換キャップを一つ取り出し、ペットボトル１０のビン口１０ａにネジ着して取り付ける。この交換キャップ１２は、前述のとおり、最初にペットボトル１０に取り付けてあったキャップと同一の構造を持つものである。つまり、購入者は、ペットボトル１０については同じものを利用し、ペットボトル１０に取り付けた交換キャップ４０の中から１つを選択し、ネジ着することで、再度、お茶入りペットボトルを作ることができる。同様に、購入者は、1つ目を飲用した後、２つ目、３つ目の交換キャップ４０を使用して、何度もお茶入りペットボトルを作ることができる。なお、交換キャップ４０に内蔵する茶粉末４５には同一のものを充填したり、濃さを選択できるように充填量を変えたり、異なった産地のものを夫々充填したり、更には異なった飲料用の粉末を充填してもよい。
【００２０】
本来、ペットボトルは使い捨てされるものであった。つまり、従来、購入者が、２杯目、３杯目のお茶をペットボトルにて購入する場合には、その都度、新しいペットボトルが利用され、使用済みのペットボトルは捨てられていた。
【００２１】
しかし、交換キャップ付ペットボトル１であれば、購入者が、２杯目、３杯目のお茶まで購入する場合に、２杯目以降のお茶については同じペットボトル１０が利用される結果、ペットボトル１０を再利用することができる。したがって、ペットボトルの使い捨てを減らし、環境対策に効果を奏することができる。また、例えば、交換キャップ付ペットボトル１を３００円の価格で販売すれば、４杯の各種の産地のお茶を１杯あたり７５円（現時点においては一般的に１杯１２０円である）と安く提供することができ、購入者に対してもリーズナブルにお茶を提供することができる。なお、交換キャップは、ペットボトル１０に限定して使用されるものではなく、一般的な規格のペットボトルであればいずれのペットボトルでも使用できる汎用性を有する。
【００２２】
次に、図３〜図６を用いて、交換キャップ付ペットボトル１の構成部を具体的に説明する。図３は、交換キャップ入り包装袋２０の包装袋自体を示す図である。図３に示すように、包装袋３０は、３つの収納部３１〜３３と、延長部３４とからなり、収納部３１〜３３は、それぞれ、開口部３１ａと折り返し３１ｂ（収納部３１を代表して説明し、他は省略する）を有し、延長部３４は、穴部３４ａと、引掛け穴３４ｂを有する。
【００２３】
収納部３１〜３３は、略長方形の透明のフィルムが２枚合わさり、合わさった２枚のフィルムにおける３辺でヒートシール等による接着がなされ、残りの１辺については接着されないことにより、袋の形状を保つ。このように、収納部３１〜３３は、透明な袋形状であることから、中にどんな交換キャップが入っているかを確認し易い。例えば、交換キャップ自体にお茶の産地を表記することにより、購入者は、次に飲みたいお茶を選択して袋を開封することができる。
【００２４】
開口部３１ａは、接着されない残りの一辺であり、開口部３１ａより収納部３１〜３３の大きさに応じた任意の物品を出し入れすることができる。また、２枚のフィルムのうち一方は、前述の接着しない一辺にて、他方のフィルムよりはみ出て形成されており、当該はみ出した部分が折り返し３１ｂとなる。折り返し３１ｂは、接着面を有し、収納部３１〜３３に密着することでフィルムと接着し、開口部３１ａが閉じる。破断案内部としてこのような折り返し３１ｂを設けることにより、購入者は、キャップの取り出しが容易にできる。なお、破断案内部として収納部３１〜３３から交換キャップ４０が簡単に取り出せればこれに限定されずこの外の構造でもよい。
【００２５】
延長部３４は、収納部３１〜３３の延長で、収納部３１〜３３についてはそれぞれ独立しているが、一体となり略三角柱の側面部分のみの形状をしたものとなっている。つまり、各側面は、収納部３１との境目を一辺とする略長方形、収納部３２との境目を一辺とする略長方形、そして、収納部３３との境目を一辺とする略長方形であり、これらが２辺で互いに接着され、前述の略三角柱の側面部分の形状を保つ。さらに、各側面の上辺は、互いに途中まで接着されており、それによって、接着されない場合の略三角柱の上面の大きさより小さい大きさの穴部３４ａが形成される。
【００２６】
また、延長部３４は、収納部３１〜３３の延長であるので、収納部３１〜３３と同じく透明のフィルムで構成されるが、それとともに、２枚のフィルムの間にはシートが挟まれている。当該シートを挟むことにより、延長部３４に交換キャップの重量程度の外力が加わっても、延長部３４が歪んで、その結果穴部３４ａが変形するということはない。これについては後に具体的に説明する。
【００２７】
また、延長部３４は、各側面部分の中央には円形で所定の大きさの引掛け穴３４ｂを有する。引掛け穴３４ｂをフック等に通すことにより、包装袋３０や交換キャップ入り包装袋２０をフック等に吊り下げることができる。なお、引掛け穴３４ｂは、便宜上設けたものであって、本発明の実施に必須なものではない。
【００２８】
次に、図４を用いて図３で説明した包装袋３０に交換キャップを入れた交換キャップ入り包装袋の説明を行う。図４は、実施例１に係る交換キャップ入り包装袋を示す図である。図４に示すように、包装袋３０の各収納部３１〜３３に、それぞれ交換キャップ４０が収納され、交換キャップ入り包装袋２０となる。具体的には、作業者は、収納部３１〜３３の開口部３１ａを開き、交換キャップ４０を頭から入れ、最後に折り返し３１ｂを折り返して開口部３１ａを閉じる。また、茶粉末の鮮度を保つため、密封した収納部３１〜３３には窒素ガスを充満させる。これにより、茶粉末の酸化が防止され、茶粉末の鮮度を保つことができる。交換キャップ４０は、前述のとおり、飲用時に交換キャップ４０を緩めて開ける所定の操作により交換キャップ４０に内蔵する茶粉末がペットボトル１０内の飲料水１１の水面へ落下し混合される構造から成る。
【００２９】
ここで、交換キャップ４０について図５および図６を用いて具体的に説明する。図５および図６は、交換キャップの断面図である。図５に示すように、交換キャップ４０は、キャップ本体４１と、押圧部操作部４２と、押圧部４３と、収納容器４４と、茶粉末４５とからなる。なお、キャップ本体４１、押圧部操作部４２、押圧部４３および収納容器４４は、ポリプロピレン樹脂（ＰＰ）等の合成樹脂からなる。
【００３０】
キャップ本体４１は、大径円筒部４１ａの上部に小径円筒部４１ｂを組み合わせた形状をしている。大径円筒部４１ａの内周面には、ペットボトル１０のビン口１０ａの外周のネジ部１０ｂに対して着脱自在にネジ着結合されるネジ部４１ｃが設けられている。また、小径円筒部４１ｂの内周面には、後述の押圧部４３が有するガイド溝に対して勘合するガイド突起が、軸方向に設けられている。
【００３１】
押圧部操作部４２は、有底の略円筒形状であって、上部は開口し、下部については中心部に突起体４２ａを有する面となっている。そして、突起体４２ａの外周面には、後述の押圧部４３に形成されるネジ部４３ａに対してネジ着結合されるネジ部４２ｂが設けられている。押圧部操作部４２は、前述のキャップ本体４１における小径円筒部４１ｂを覆うように、かつ、小径円筒部４１ｂに対して軸方向には動かないように固定された状態で取り付けられる。
【００３２】
押圧部４３は、有底の略円筒形状であって、上下の面については、一方は開口し、他方は閉じたものとなっている。押圧部４３は、その内周面に、前述の突起体４２ａに形成されたネジ部４２ｂに対してネジ着結合されるネジ部４３ａが設けられている。また、押圧部４３は、その外周面に、前述の小径円筒部４１ｂに設けられたガイド突起と勘合するガイド講を有する。したがって、押圧部４３は、押圧操作部４２の回転に伴い、押圧部４３と押圧操作部４２のネジ部が機能し、ガイド溝に沿って下方に移動する。
【００３３】
収納容器４４は、側面部４４ａと、底面部４４ｂと、機械的弱点部４４ｃと、棒部４４ｄとからなる。側面部４４ａは、略円柱形状をしており、上面は開口し、下面に底面部４４ｂを備える。底面部４４ｂは、側面部４４ａとともに収納空間を作っており、側面部４４ａとの境目については一部を除き薄肉部や切溝部からなる機械的弱点部４４ｃとなっている。棒部４４ｄは、底面部４４ｂと一体に形成され、収納容器４４の内部で底面部４４ｂから上面の開口部へ伸び、押圧部４３に当接する。よって、棒部４４ｄは、押圧部４３が押圧操作部４２の回転に伴って下方に移動すると、押圧部４３に下方へ押される。その結果、底面部４４ｂに力が加わり、機械的弱点部４４ｃが破壊される。
【００３４】
収納容器４４の内部には、茶粉末４５が詰め込まれており、機械的弱点部４４ｃが破壊されて形成された開口部から落下し、ペットボトル１０内の飲料水１１と混ざることで、お茶ができる。
【００３５】
具体的に図6を用いて説明すると、側面部４４ａと底面部４４ｂの境目である機械的弱点部４４ｃは、棒部４４ｄに加わった力によって破壊され、その結果開口部４６が形成される。そして、収納容器４４に詰め込まれた茶粉末４５は、開口部４６から落下する。なお、機械的弱点部４４ｃが破壊されても、側面部４４ａと底面部４３ｂは一部で連結されている。そのため、収納容器４４の一部（底面部４４ｂや棒部４４ｄ）が茶粉末４５といっしょになって飲料容器内へ落下することはない。
【００３６】
以上、交換キャップ４０の具体的な構成を説明したが、交換キャップ４０の構成としては、飲料容器の口部を密封するキャップとして用いられ、所定の操作により内部に詰め込まれた飲料の素が飲料容器へ落下するような構造も持つものであればよく、本実施例１の他、いずれの構成をなしていてもよい。
【００３７】
次に、図７を用いて交換キャップ４０のペットボトル１０への取り付けかたを説明する。図７は、交換キャップの取り付け方を説明する図である。図７に示すように、作業者は、交換キャップ入り包装袋２０の延長部３４の一部を、親指と人差し指でつまんで手に取る。従来の包装袋では、複数の交換キャップをペットボトル１０のボトルネック１３へ取り付けようとした場合、親指と人差し指だけでは一度に複数個を手に取ることはできない。しかし、本実施例１に係る交換キャップ入り包装袋２０は、複数の交換キャップ４０入りの収納部３１〜３３が延長部３４で連結しているので、延長部３４を持てば、収納部３１〜３３をまとめて、しかも親指と人差し指だけを使って手に取ることができる。
【００３８】
そして、作業者は、交換キャップ入り包装袋２０を手に取ったまま、ペットボトル１０の上から、交換キャップ入り包装袋２０の穴部３４ａの中心をキャップ１２の中心に合わせつつ、交換キャップ入り包装袋２０を降ろしていく。そして、キャップ１２の頭が延長部３４を通過するや否や延長部３４から手を離す。すると、交換キャップ入り包装袋２０は、自然にボトルネック１３まで降下し、交換キャップ４０のペットボトル１０への取り付けが完了する。
【００３９】
取り付け完了後について，図１に戻って具体的に説明すると、各収納袋３１〜３３は、ペットボトル１０のボトルネックに吊り下がり、１２０度間隔で放射状に配置される。この場合、幾何学的に見栄えが良く、また、交換キャップ付ペットボトル１を所定の位置関係で並べていくことができる。従来の包装袋では、仮に、３つの交換キャップ入り収納袋を、このように１２０度間隔で放射状に配置しようとした場合、まず、一つ一つ順番に吊り下げていかなければならないし、３つを全て吊り下げたあと、それぞれの位置を調整しなければならず、その作業は面倒である。しかし、本実施例１に係る交換キャップ入り包装袋２０は、取り付け完了とともに、図１のように各収納袋３１〜３３が配置されるので、位置の調整が不要となり、作業効率がよい。
【００４０】
図７に戻って、延長部３４は、前述したように、２枚のフィルムの間にシートが挟まれており、ある程度の剛性を有している。図７に示すように、延長部３４の一部をつまんで持ち上げた場合、交換キャップ入り包装袋２０において、３つの交換キャップの重量が延長部３４に掛かってくるが、当該剛性によって、延長部３４が歪んで、その結果穴部３４ａが変形するということはない。もっとも、本実施例１では２枚のフィルムの間にシートを挟む構成としたが、延長部３４の形状のみ（収納部３１〜３３と同じ材質の透明フィルムのみで構成される場合）で生じる剛性で足りる場合には、別段２枚のフィルムの間にシートを挟む必要はない。つまり、延長部にこのような剛性を持たない交換キャップ入り包装袋であれば、場合によっては両手で穴部３４ｂを形作りながら作業する必要があり、取り付け作業が面倒になる。しかし、実施例１に係る交換キャップ入り包装袋２０は、片手で作業可能であり、延長部に剛性を持たない交換キャップ入り包装袋と比較して、取り付け作業が簡易になるという効果を奏する。
【００４１】
ところで、ペットボトル１０のビン口１０ａに最初から閉めてあるキャップ１２は、交換キャップ４０と同じく、飲用時にキャップを緩めて開ける所定の操作によりキャップ１２に内蔵する茶粉末がペットボトル１０内の飲料水の水面へ落下し混合される構造から成る。購入者は、まず、キャップ１２を使用してお茶を作り、それを飲み終えたならば、収納部３１〜３３のいずれかから交換キャップ４０を新たに取り出し、ペットボトル１０に水を汲んで、キャップ１２の代わりに今度は取り出した交換キャップ４０を付ける。そして、購入者は、同様に、交換キャップ４０を使用してお茶を作ることができる。
【００４２】
このようにすれば、本来、ペットボトル１０は使い捨てされるものだが、交換キャップ４０を使用することにより、何度も（少なくとも３回）ペットボトル１０の再利用がなされ、環境対策に効果を奏することができる。また、交換キャップ４０は、収納部３１〜３３ごとに産地の異なるお茶の茶粉末が詰め込まれており、各種のお茶を味わうことができる。例えば、交換キャップ入り包装袋付ペットボルト１を併せて３００円の価格にすれば、４杯の各種の産地のお茶を１杯あたり７５円（現時点においては一般的に１杯１２０円である）と安く提供することができる。なお、必ずしもペットボトル１０と交換キャップ入り包装袋２０を併せて提供する必要はなく、交換キャップ入り包装袋２０を単品で提供してもよい。
【実施例２】
【００４３】
次に、図８を用いて実施例２に係る交換キャップ入り包装袋の説明を行う。図８は、実施例２に係る交換キャップ入り包装袋を示す図である。なお、以下では、実施例１に係る交換キャップ入り包装袋２０の延長部３４に対応する部分についてのみを説明し、実施例１と同様の部分については説明を省略する。
【００４４】
図８に示すように、延長部５４は、収納部３１〜３３の延長で、収納部３１〜３３についてはそれぞれ独立しているが、略三角形の形状をした一体のものとなっており、中央には、ペットボトル１０の首に通すための穴部５４ａを有する。また、延長部５４は、収納部３１〜３３の延長であるので、収納部３１〜３３と同じく透明のフィルムで構成されるが、それとともに、２枚のフィルムの間にはシートが挟まれている。当該シートを挟むことにより、延長部５４に交換キャップの重量程度の外力が加わっても、延長部５４が歪んで、その結果穴部５４ａが変形するということはない。
【００４５】
なお、このような形状の延長部５４では、仮に、収納部３１〜３３と同じ材質の透明フィルムのみで構成される場合、材質によっては穴部５４ａが変形するおそれがある。したがって、実施例２に係る交換キャップ入り包装袋では、延長部５４を２枚のフィルムの間にシートを挟む構成とした。しかしながら、実施例１で述べたように、延長部５４の形状のみで生じる剛性で足りる場合には、別段２枚のフィルムの間にシートを挟む必要はない。
【実施例３】
【００４６】
さて、これまで本発明の実施の形態１、２について説明したが、本発明は上述した実施の形態以外にも、特許請求の範囲に記載した技術的思想の範囲内において種々の異なる実施の形態にて実施されてもよいものである。
【００４７】
実施例１において、交換キャップ４０には、収納部３１〜３３ごとに産地の異なる茶粉末を詰め込むこととしたが、本発明はこれに限定されるものではなく、例えば、お茶以外の飲料の素でコーヒーやジュース、あるいは、薬剤であってもよい。
【００４８】
また、実施例１、２において、３つの収納部３１〜３３に交換キャップ４０をそれぞれ収納することとしたが、本発明はこれに限定されるものではなく、複数の収納部を有するものであればいずれの構成であってもよい。例えば、２つの収納部を有し、それぞれに交換キャップを収納するものであってもよい。
【００４９】
また、実施例１において、ペットボトル１０に取り付けた際に交換キャップ４０がそれぞれ１２０度間隔で放射状に配置されるような収納部の構成としたが、本発明はこれに限定されるものではなく、複数の収納部を有するものであればいずれの構成であってもよい。例えば、同様に３つの収納部を有し、３つの交換キャップ４０が６０度、１５０度、１５０度の間隔で放射状に配置されるような構成であってもよい。
【００５０】
また、実施例１において、収納部３１〜３３は、下辺に開口部３１ａと折り返し３２ｂを有するものとしたが、本発明はこれに限定されるものではなく、破断案内部を備えた袋状のものであればいずれのものであってもよい。例えば、収納部の全辺をヒートシール等で接着し、中央にミシン目を設けたものであってもよい。
【００５１】
また、実施例１において、収納部３１〜３３は、透明のフィルムからなるものとしたが、本発明はこれに限定されるものではなく、茶粉末の酸化防止のため、遮光性のあるフィルムからなるものであってもよい。その場合、中にどのような交換キャップが入っているかが外からは見えないため、収納部３１〜３３にお茶の産地名を表記するなど、購入者が交換キャップを選択可能な状態にすることが望ましい。
【産業上の利用可能性】
【００５２】
本発明に係る交換キャップ入り包装袋を備えたペットボトルは、従来、何度も使用することが可能であるにもかかわらず廃棄されていたペットボトルの再利用に有用である。
【符号の説明】
【００５３】
１            交換キャップ付ペットボトル
１０          ペットボトル
２０          交換キャップ入り包装袋
３０          包装袋
３１〜３３    収納部
３１ａ        開口部
３１ｂ        折り返し
３４          延長部
３４ａ        穴部
３４ｂ        引掛け穴
４０          交換キャップ
４１          キャップ本体
４２          押圧部操作部
４３          押圧部
４４          収納容器
４５          茶粉末
【図１】
2011157121.tif 000003
【図２】
2011157121.tif 000004
【図３】
2011157121.tif 000005
【図４】
2011157121.tif 000006
【図５】
2011157121.tif 000007
【図６】
2011157121.tif 000008
【図７】
2011157121.tif 000009
【図８】
2011157121.tif 000010